(57)【要約】【課題】ブラケット処理の処理基準を簡単に設定する撮像装置を提供する。【解決手段】電子カメラは、カメラ自身が決定した条件（露出値12.0EV）を処理基準として１回目のブラケット処理を行う。12.0EVを基準にオーバー方向とアンダー方向とにブラケティング補正ステップdEVstep1（ずらし量）＝1.0EV間隔でそれぞれ２枚ずつ、合計ｘ＝５枚のブラケット撮影を行う（符号１〜５）。電子カメラは、画像表示モニタに一覧表示している画像のうち、使用者による指示で選択された基準画像に対応する条件（符号４）を処理基準（露出値13.0EV）として２回目のブラケット処理を行う。13.0EVを基準にオーバー方向とアンダー方向とにブラケティング補正ステップdEVstep2（ずらし量）＝0.3EV間隔でそれぞれ２枚ずつ、合計ｘ＝５枚のブラケット撮影を行う（符号６〜１０）。電子カメラは、１回目のブラケット処理における条件のずらし量dEVstep1より、２回目のブラケット処理における条件のずらし量dEVstep2を小さくする。【選択図】図８
2007166155.tif 000002
【特許請求の範囲】
【請求項１】
撮影画像を取得する条件をずらして複数の電子画像を得るブラケット処理手段と、
前記複数の電子画像を表示装置に表示させる表示回路と、
使用者による指示に応じて、前記表示装置に表示されている電子画像から少なくとも１つの電子画像を選択する選択手段と、
１回目のブラケット処理で得られた複数の電子画像を前記表示装置に表示し、前記選択手段が選択した電子画像に対応する条件を処理基準とし、この処理基準からずらした条件で２回目のブラケット処理を行うように、前記ブラケット処理手段、前記表示回路、および前記選択手段をそれぞれ制御する制御手段とを備えることを特徴とする撮像装置。
【請求項２】
請求項１に記載の撮像装置において、
前記制御手段は、前記１回目のブラケット処理におけるずらし量より前記２回目のブラケット処理におけるずらし量を小さくするように前記ブラケット処理手段を制御することを特徴とする撮像装置。
【請求項３】
請求項１または２に記載の撮像装置において、
前記ブラケット処理手段は、撮影時の露出条件をずらして複数の電子画像を得ることを特徴とする撮像装置。
【請求項４】
請求項１または２に記載の撮像装置において、
前記ブラケット処理手段は、前記撮影画像を取得する画像処理条件をずらして複数の電子画像を得ることを特徴とする撮像装置。
【請求項５】
請求項２に記載の撮像装置において、
前記制御手段は、前記２回目のブラケット処理において前記１回目のブラケット処理と重複する条件による電子画像の取得を省略するように前記ブラケット処理手段を制御することを特徴とする撮像装置。
【請求項６】
請求項１〜５のいずれか一項に記載の撮像装置において、
電子画像を記録媒体に記録する記録回路をさらに備え、
前記記録回路は、前記２回目のブラケット処理を行う前に前記記録媒体へ電子画像を記録しないことを特徴とする撮像装置。
【請求項７】
請求項６に記載の撮像装置において、
前記記録回路は、前記２回目のブラケット処理後に前記１回目のブラケット処理および前記２回目のブラケット処理で得られた複数の電子画像のうちいずれかの電子画像を前記記録媒体へ記録することを特徴とする撮像装置。
【請求項８】
請求項１〜７のいずれか一項に記載の撮像装置において、
前記表示回路は、前記表示装置に前記１回目のブラケット処理で得られた複数の電子画像を一覧表示させることを特徴とする撮像装置。
【請求項９】
画像を取得する条件をずらして複数の電子画像を得る１回目のブラケット処理と、
前記複数の電子画像を表示装置に表示させる表示処理と、
入力指示を受ける処理と、
前記入力指示に応じて、前記表示装置に表示させている電子画像から少なくとも１つの電子画像を選択する選択処理と、
前記選択した電子画像に対応する条件を処理基準とし、この処理基準からずらした条件で複数の電子画像を得る２回目のブラケット処理とをコンピュータに実行させるブラケット処理プログラム。
【発明の詳細な説明】
【技術分野】
【０００１】
本発明は、ブラケット処理を行う撮像装置およびブラケット処理プログラムに関する。
【背景技術】
【０００２】
露出などの撮影条件をずらして複数の画像を得るブラケット撮影が知られている。特許文献１には、カメラが決定した露出条件を処理基準とし、処理基準に対するずらし量を徐々に変えるブラケット撮影技術が開示されている。
【０００３】
【特許文献１】特許第２５８１２２２号公報
【発明の開示】
【発明が解決しようとする課題】
【０００４】
実際の撮影では、カメラなどの撮像装置が決定した条件と異なる条件をブラケット処理基準として用いたい場合がある。この場合、撮像装置に対するブラケット処理基準の設定操作が煩雑になる。
【課題を解決するための手段】
【０００５】
本発明による撮像装置は、撮影画像を取得する条件をずらして複数の電子画像を得るブラケット処理手段と、複数の電子画像を表示装置に表示させる表示回路と、使用者による指示に応じて、表示装置に表示されている電子画像から少なくとも１つの電子画像を選択する選択手段と、１回目のブラケット処理で得られた複数の電子画像を表示装置に表示し、選択手段が選択した電子画像に対応する条件を処理基準とし、この処理基準からずらした条件で２回目のブラケット処理を行うように、ブラケット処理手段、表示回路、および選択手段をそれぞれ制御する制御手段とを備えることを特徴とする。
請求項１に記載の撮像装置において、制御手段は、１回目のブラケット処理におけるずらし量より２回目のブラケット処理におけるずらし量を小さくするようにブラケット処理手段を制御することもできる。
請求項１または２に記載の撮像装置において、ブラケット処理手段は、撮影時の露出条件をずらして複数の電子画像を得ることもできる。
請求項１または２に記載の撮像装置において、ブラケット処理手段は、撮影画像を取得する画像処理条件をずらして複数の電子画像を得ることもできる。
請求項２に記載の撮像装置において、制御手段は、２回目のブラケット処理において１回目のブラケット処理と重複する条件による電子画像の取得を省略するようにブラケット処理手段を制御することもできる。
請求項１〜５のいずれか一項に記載の撮像装置はさらに、電子画像を記録媒体に記録する記録回路を備えてもよい。この場合の記録回路は、２回目のブラケット処理を行う前に記録媒体へ電子画像を記録しないことが好ましい。
請求項６に記載の撮像装置において、記録回路は、２回目のブラケット処理後に１回目のブラケット処理および２回目のブラケット処理で得られた複数の電子画像のうちいずれかの電子画像を記録媒体へ記録することが好ましい。
請求項１〜７のいずれか一項に記載の撮像装置において、表示回路は、表示装置に１回目のブラケット処理で得られた複数の電子画像を一覧表示させることが好ましい。
本発明によるブラケット処理プログラムは、画像を取得する条件をずらして複数の電子画像を得る１回目のブラケット処理と、複数の電子画像を表示装置に表示させる表示処理と、入力指示を受ける処理と、入力指示に応じて、表示装置に表示させている電子画像から少なくとも１つの電子画像を選択する選択処理と、選択した電子画像に対応する条件を処理基準とし、この処理基準からずらした条件で複数の電子画像を得る２回目のブラケット処理とをコンピュータに実行させる。
【発明の効果】
【０００６】
本発明による撮像装置では、ブラケット処理の処理基準を簡単に設定することができる。また、本発明によるブラケット処理プログラムによれば、ブラケット処理基準の設定を簡単に行える。
【発明を実施するための最良の形態】
【０００７】
以下、図面を参照して本発明を実施するための最良の形態について説明する。図１は、本発明の一実施形態による電子カメラの構成を説明するブロック図である。図１において電子カメラは、情報管理部１と、測光センサ２と、レリーズスイッチ３と、操作入力部４と、レンズ通信部５と、撮影制御部７と、ブラケティング補正量記憶部８と、シャッタ１０と、撮像素子１１と、バッファメモリ１２と、画像処理部１３と、画像表示モニタ１４と、画像記録部１５とを有し、絞り９を備える撮影レンズ６と、記録媒体１６とが着脱可能に構成される。
【０００８】
情報管理部１は、測光センサ２から入力される輝度情報、レリーズスイッチ３から入力されるレリーズ指示信号、操作入力部４から入力される操作情報、およびレンズ通信部５から入力される撮影レンズ６の情報（絞り９の位置情報など）などの入力情報を管理する。情報管理部１はさらに、撮影制御部７へ出力する被写体の輝度情報、画像処理部１３へ出力する画像処理や画像表示の指示情報、および露出補正やブラケティング設定状態などの情報を管理する。
【０００９】
測光センサ２は、撮影レンズ６を通して被写体輝度を測定し、測定で得た輝度情報を情報管理部１へ送出する。レリーズスイッチ３はレリーズボタン（不図示）の全押し操作に連動してオンされ、オン信号を情報管理部１へ送出する。レリーズスイッチ３によるオン信号はレリーズ指示信号に対応する。
【００１０】
操作入力部４は、露出補正操作部材、ブラケティング設定操作部材、および画像選択操作部材を含み、各操作部材の操作に対応する操作信号を情報管理部１へ送出する。露出補正操作部材は、電子カメラが決定した露出値に対して補正を指示するための操作部材である。ブラケティング設定操作部材は、電子カメラにブラケット撮影モードの設定／解除を指示するための操作部材である。画像選択操作部材は、画像表示モニタ１４に表示される画像の中から画像を選択するための操作部材である。
【００１１】
ブラケット撮影モードに設定された電子カメラは、カメラが決定した露出条件に基づいて処理基準を決め、処理基準から露出条件をずらして複数の撮影画像を得る１回目のブラケット撮影と、使用者により指示された露出条件を処理基準とし、この処理基準から露出条件をずらして複数の撮影画像を得る２回目のブラケット撮影とを行う。
【００１２】
撮影制御部７は、情報管理部１から取得した輝度情報に基づいて所定の露出演算を行って制御露出を算出し、この露出を得るための絞り９、シャッタ１０および撮像素子１１の制御パラメータを決定し、決定した制御パラメータで絞り９、シャッタ１０および撮像素子１１をそれぞれ制御する。ブラケット撮影時には、情報管理部１から取得した露出補正情報やブラケティング設定情報、選択操作信号に基づいて処理基準と変化量（ずらし量）とを決定し、決定内容に応じて絞り９、シャッタ１０および撮像素子１１をそれぞれ制御する。
【００１３】
ブラケティング補正量記憶部８は、ブラケット撮影に用いるずらし量（後述するブラケティング補正量dEVbkt）を示すデータを記憶する。データには１回目のブラケット撮影のずらし量および２回目のブラケット撮影のずらし量が含まれる。ブラケティング補正量記憶部８から読み出されたずらし量データは、撮影制御部７へ送られる。
【００１４】
バッファメモリ１２は、撮像素子１１から出力される画像信号、およびこの画像信号に対応する露出制御情報を一時的に保存し、保存したデータを画像処理部１３へ転送する。
【００１５】
画像処理部１３は、画像信号に対してホワイトバランス処理や画素補間処理などを施して撮影画像データを生成し、生成した撮影画像データを画像記録部１５へ送出する。画像処理部１３はさらに、情報管理部１からの画像表示指示に応じて画像表示モニタ１４に撮影画像を表示させる。また、操作入力部４からの選択操作信号によって示される選択画像に対応する露出制御値、ブラケティング補正量の情報が、画像処理部１３から情報管理部１を介して撮影制御部７へ転送可能に構成されている。本説明では、画像処理部１３による画像処理後の画像を撮影画像と呼ぶ。
【００１６】
画像表示モニタ１４は液晶表示パネルなどで構成され、電子カメラによる撮影画像、電子カメラの操作メニューおよび設定情報などを表示可能に構成される。記録媒体１６は、たとえば、メモリカードなどのデータストレージ部材によって構成される。画像記録部１５は、情報管理部１の指示により、記録媒体１６に撮影画像のデータを保存したり、記録媒体１６に保存しているデータを読み出すことが可能である。
【００１７】
本発明は、上述した電子カメラが行うブラケット撮影に特徴を有するので、ブラケット撮影処理を中心に説明する。
【００１８】
＜メイン処理＞
図２および図３は、情報管理部１が行うブラケット撮影の流れについて説明するメイン処理のフローチャートである。図２によるプログラムは、メインスイッチオン時、およびレリーズボタン（不図示）の半押し操作に伴う半押し操作信号が情報管理部１へ入力されると起動する。一方、図２によるプログラムは、メインスイッチオフ時、および上記半押し操作信号が入力されてから経過した時間を計時するためのタイマーがタイムアップ（タイマー切れ）した場合に終了する。
【００１９】
図２のステップＳ１０１において、情報管理部１はカメラ内の情報を初期化してステップＳ１０２へ進む。具体的には、ブラケティング開始フラグおよびブラケティング中フラグをそれぞれクリアし、ブラケティング撮影カウンタctおよびブラケティング基準画像カウンタctbをそれぞれ０にセットする。
【００２０】
ステップＳ１０２において、情報管理部１は、レンズ通信部５から撮影レンズ６の情報を取得してステップＳ１０３へ進む。ステップＳ１０３において、情報管理部１は、測光センサ２から輝度情報を入力してステップＳ１０４へ進む。ステップＳ１０４において、情報管理部１は、露出制御値算出処理を行ってステップＳ１０５へ進む。露出制御値算出処理の詳細については後述する。
【００２１】
ステップＳ１０５において、情報管理部１は、レリーズ操作されたか否かを判定する。情報管理部１は、レリーズ指示信号に応じてセットするレリーズフラグがセットされている場合にステップＳ１０５を肯定判定してステップＳ１０６へ進み、レリーズフラグがセットされていない場合にはステップＳ１０５を否定判定し、ステップＳ１１２へ進む。
【００２２】
ステップＳ１０６において、情報管理部１は、撮影制御処理を行ってステップＳ１０７へ進む。撮影制御処理の詳細については後述する。ステップＳ１０７において、情報管理部１は１回目のブラケット撮影が終了したか否かを判定する。情報管理部１は、ブラケティング撮影カウンタctの値が０（１回目のブラケット撮影が終了）の場合にステップＳ１０７を肯定判定してステップＳ１０８へ進み、ブラケティング撮影カウンタctの値が０でない（１回目のブラケット撮影が終了していない）場合にはステップＳ１０７を否定判定し、ステップＳ１１２へ進む。
【００２３】
なお、ブラケット撮影モードが解除されている場合の情報管理部１は、図２のステップＳ１０７以降の処理を省略して図３のステップＳ２１０へ進むように構成される。
【００２４】
ステップＳ１０８において、情報管理部１は、ブラケティング中フラグをクリアしてステップＳ１０９へ進む。ステップＳ１０９において、情報管理部１は画像処理部１３へ画像表示指示を出力し、１回目のブラケット撮影で得た複数の撮影画像を画像表示モニタ１４に一覧表示させてステップＳ１１０へ進む。
【００２５】
ステップＳ１１０において、情報管理部１は選択指示されたか否かを判定する。情報管理部１は、たとえば、画像表示モニタ１４に「２回目のブラケット撮影に進みますか？  進む場合は画像を選択して下さい。」というメッセージを表示させ、操作入力部４からの選択操作信号を受ける。情報管理部１は、画像表示モニタ１４に一覧表示されている画像の中から画像を選択する選択操作信号が入力されるとステップＳ１１０を肯定判定してステップＳ１１１へ進み、選択操作信号が入力されない場合にはステップＳ１１０を否定判定し、ステップＳ１１２へ進む。
【００２６】
ステップＳ１１１において、情報管理部１は、基準画像選択処理を行って図３のステップＳ１０２Ａへ進む。基準画像選択処理の詳細については後述する。
【００２７】
ステップＳ１０５、ステップＳ１０７、およびステップＳ１１０のいずれかを否定判定して進むステップＳ１１２において、情報管理部１は、タイマー切れか否かを判定する。情報管理部１は、タイムアップ時にステップＳ１１２を肯定判定して図２による処理を終了する。一方、情報管理部１は、タイムアップしていない場合にはステップＳ１１２を否定判定してステップＳ１０２へ戻り、上記処理を繰り返す。
【００２８】
図３のステップＳ１０２Ａにおいて、情報管理部１は、レンズ通信部５から撮影レンズ６の情報を取得してステップＳ１０３Ａへ進む。ステップＳ１０３Ａにおいて、情報管理部１は、測光センサ２から輝度情報を入力してステップＳ１０４Ａへ進む。
【００２９】
ステップＳ１０４Ａにおいて、情報管理部１は、露出制御値算出処理を行ってステップＳ１０５Ａへ進む。露出制御値算出処理の詳細については後述する。
【００３０】
ステップＳ１０５Ａにおいて、情報管理部１はレリーズ操作されたか否かを判定する。情報管理部１は、レリーズフラグがセットされている場合にステップＳ１０５Ａを肯定判定してステップＳ１０６Ａへ進み、レリーズフラグがセットされていない場合にはステップＳ１０５Ａを否定判定し、ステップＳ１１２Ａへ進む。
【００３１】
ステップＳ１０６Ａにおいて、情報管理部１は撮影制御処理を行ってステップＳ１０７Ａへ進む。撮影制御処理の詳細については後述する。ステップＳ１０７Ａにおいて、情報管理部１は２回目のブラケット撮影が終了したか否かを判定する。情報管理部１は、ブラケティング撮影カウンタctの値が０（２回目のブラケット撮影が終了）の場合にステップＳ１０７Ａを肯定判定してステップＳ１０８Ａへ進み、ブラケティング撮影カウンタctの値が０でない（２回目のブラケット撮影が終了していない）場合にはステップＳ１０７Ａを否定判定し、ステップＳ１１２Ａへ進む。
【００３２】
ステップＳ１０８Ａにおいて、情報管理部１はブラケティング中フラグをクリアしてステップＳ１０９Ａへ進む。ステップＳ１０９Ａにおいて、情報管理部１は画像処理部１３へ画像表示指示を出力し、２回目のブラケット撮影で得た複数の撮影画像を画像表示モニタ１４に一覧表示させてステップＳ１１０Ａへ進む。
【００３３】
ステップＳ１１０Ａにおいて、情報管理部１は記録指示されたか否かを判定する。情報管理部１は、たとえば画像表示モニタ１４に「記録する画像を選択して下さい。」というメッセージを表示させ、操作入力部４からの選択操作信号を受ける。情報管理部１は、画像表示モニタ１４に一覧表示されている画像のいずれかを選択する選択操作信号が入力されるとステップＳ１１０Ａを肯定判定してステップＳ１１１Ａへ進み、選択操作信号が入力されない場合にはステップＳ１１０Ａを否定判定し、ステップＳ１１２Ａへ進む。
【００３４】
なお、ブラケット撮影モードが解除されている場合の情報管理部１は、画像表示モニタ１４に上記メッセージの表示を行わない。情報管理部１は、操作入力部４から非記録を指示する操作信号が入力されない場合、記録指示されたとみなしてステップＳ２１１へ進む。また、情報管理部１は、操作入力部４から非記録を指示する操作信号が入力された場合、ステップＳ１１１Ａをスキップして図２のステップＳ１０２へ戻る。
【００３５】
ステップＳ１１１Ａにおいて、情報管理部１は画像記録部１５へ指示を送り、撮影画像のデータを記録媒体１６に記録（保存）させて図２のステップＳ１０２へ戻る。
【００３６】
ステップＳ１０５Ａ、ステップＳ１０７Ａ、およびステップＳ１１０Ａのいずれかを否定判定して進むステップＳ１１２Ａにおいて、情報管理部１は、タイマー切れか否かを判定する。情報管理部１は、タイムアップ時にステップＳ１１２Ａを肯定判定して図３による処理を終了する。一方、情報管理部１は、タイムアップしていない場合にはステップＳ１１２Ａを否定判定してステップＳ１０２Ａへ戻り、上記処理を繰り返す。
【００３７】
＜露出制御値算出処理＞
露出制御値算出処理の詳細について、図４のフローチャートを参照して説明する。図４のステップＳ１３１において、情報管理部１は、露出補正設定値を取得してステップＳ１３２へ進む。具体的には、操作入力部４を構成する露出補正設定部材（不図示）から露出補正値dEVexcomを示す信号（露出補正情報）を入力する。露出補正値dEVexcomは、情報管理部１が決定する露出値に対する補正量をいう。
【００３８】
ステップＳ１３２において、情報管理部１は、ブラケティング設定値を取得する。具体的には、操作入力部４からブラケティング設定操作信号が情報管理部１へ入力されている場合（ブラケット撮影モードに設定されている場合）、情報管理部１は、操作入力部４を構成するブラケティング設定部材（不図示）からブラケット撮影における予定枚数ｘ、およびブラケティング補正ステップdEVstep1、dEVstep2を示す信号を入力するとともに、ブラケティング開始フラグをセットしてステップＳ１３３へ進む。入力されるブラケティング補正ステップは、dEVstep2＜dEVstep1の関係を有する。たとえばｘ＝５、dEVstep1＝1.0EV、dEVstep2=0.3EVがあらかじめ情報管理部１に初期値として記憶されており、ブラケティング設定部材から操作信号が入力されない場合、情報管理部１はこれら初期値を使用するように構成される。
【００３９】
なお、操作入力部４からブラケティング設定操作信号が入力されていない場合（ブラケット撮影モードが解除されている場合）、情報管理部１は、ブラケティング開始フラグをセットしないでステップＳ１３３へ進むように構成される。
【００４０】
予定枚数ｘは、１回目および２回目それぞれのブラケット撮影回数であり、ブラケティング補正ステップdEVstep1、dEVstep2は、それぞれ１回目のブラケット撮影における条件のずらし量、および２回目のブラケット撮影における条件のずらし量をいう。基準値に対応する画像と、基準値から負側および正側にそれぞれ条件をずらしたｎ枚ずつの画像とを得るとすれば、予定枚数ｘについて次式（１）が成立する。
ｘ＝(ｎ×２)＋１                             （１）
【００４１】
ステップＳ１３３において、情報管理部１はブラケティング開始フラグがセットされているか否かを判定する。情報管理部１は、ブラケティング開始フラグがセットされている場合にステップＳ１３３を肯定判定してステップＳ１３４へ進み、ブラケティング開始フラグがセットされていない場合にはステップＳ１３３を否定判定し、ステップＳ１３９へ進む。
【００４２】
ステップＳ１３４において、情報管理部１は、ブラケティング中フラグをセットしてステップＳ１３５へ進む。ステップＳ１３５において、情報管理部１は、ブラケティング開始フラグをクリアしてステップＳ１３６へ進む。ステップＳ１３６において、情報管理部１は、ブラケティング撮影カウンタctに予定枚数ｘをセットしてステップＳ１３７へ進む。
【００４３】
ステップＳ１３７において、情報管理部１は、補正量算出処理を行ってステップＳ１３８へ進む。補正量算出処理の詳細については後述する。ステップＳ１３８において、情報管理部１は、露出制御値を決定して図４による処理を終了する。
【００４４】
ステップＳ１３３を否定判定して進むステップＳ１３９において、情報管理部１は、ブラケティング中フラグがセットされているか否かを判定する。情報管理部１は、ブラケティング中フラグがセットされている場合にステップＳ１３９を肯定判定してステップＳ１３７へ進み、ブラケティング中フラグがセットされていない場合にはステップＳ１３９を否定判定し、ステップＳ１４０へ進む。
【００４５】
ステップＳ１４０へ進むのはブラケット撮影モードが解除されている通常撮影の場合、もしくはブラケット撮影が中断された場合である。ステップＳ１４０において、情報管理部１は、ブラケティング撮影カウンタctを０に初期化してステップＳ１４１へ進む。ステップＳ１４１において、情報管理部１は、ブラケティング基準画像カウンタctbを０に初期化してステップＳ１３７へ進む。
【００４６】
＜撮影制御処理＞
撮影制御処理の詳細について、図５のフローチャートを参照して説明する。図５のステップＳ１５１において、情報管理部１は撮影制御部７へ指示を送り、絞り９を制御絞り値に対応する位置まで絞り込ませてステップＳ１５２へ進む。ステップＳ１５２において、情報管理部１は撮影制御部７へ指示を送り、撮像素子１１の電荷蓄積を開始させてステップＳ１５３へ進む。
【００４７】
ステップＳ１５３において、情報管理部１は撮影制御部７へ指示を送り、シャッタ１０を開いて露光を開始させてステップＳ１５４へ進む。ステップＳ１５４において、情報管理部１は制御シャッタ秒時に対応する露光時間が経過したか否かを判定する。情報管理部１は上記露光時間が経過するとステップＳ１５４を肯定判定してステップＳ１５５へ進み、上記露光時間に満たない場合はステップＳ１５４を否定判定して当該判定処理を繰り返す。
【００４８】
ステップＳ１５５において、情報管理部１は撮影制御部７へ指示を送り、シャッタ１０を閉じて露光を終了させてステップＳ１５６へ進む。ステップＳ１５６において、情報管理部１は撮影制御部７へ指示を送り、撮像素子１１の電荷蓄積を終了させてステップＳ１５７へ進む。ステップＳ１５７において、情報管理部１は撮影制御部７へ指示を送り、絞り９を初期化位置まで復帰させてステップＳ１５８へ進む。
【００４９】
ステップＳ１５８において、情報管理部１は撮影制御部７へ指示を送り、撮像素子１１から蓄積信号（画像信号）の取り込みを開始させてステップＳ１５９へ進む。画像信号はバッファメモリ１２に格納される。ステップＳ１５９において、情報管理部１は撮影制御部７へ指示を送り、シャッタ１０を初期化させてステップＳ１６０へ進む。
【００５０】
ステップＳ１６０において、情報管理部１は画像処理部１３へ指示を送り、バッファメモリ１２内の画像信号に所定の画像処理を行わせてステップＳ１６１へ進む。ステップＳ１６１において、情報管理部１は画像処理部１３へ指示を送り、画像処理後の撮影画像データを再びバッファメモリ１２に格納させてステップＳ１６２へ進む。
【００５１】
ステップＳ１６２において、情報管理部１はブラケティング中フラグがセットされているか否かを判定する。情報管理部１は、ブラケティング中フラグがセットされている（ブラケット撮影中である）場合にステップＳ１６２を肯定判定してステップＳ１６３へ進み、ブラケティング中フラグがセットされていない（ブラケット撮影中でない）場合にはステップＳ１６２を否定判定し、図５による処理を終了する。
【００５２】
ステップＳ１６３において、情報管理部１は、ブラケティング撮影カウンタctから１を減じて図５による処理を終了する。
【００５３】
＜補正量算出処理＞
補正量算出処理の詳細について、図６のフローチャートを参照して説明する。図６のステップＳ１７１において、情報管理部１はブラケティング中フラグがセットされているか否かを判定する。情報管理部１は、ブラケティング中フラグがセットされている（ブラケット撮影中である）場合にステップＳ１７１を肯定判定してステップＳ１７２へ進み、ブラケティング中フラグがセットされていない（ブラケット撮影中でない）場合にはステップＳ１７１を否定判定し、ステップＳ１８０へ進む。
【００５４】
ステップＳ１７２において、情報管理部１は、ブラケティング補正ステップ数ｍを次式（２）により算出してステップＳ１７３へ進む。
ｍ＝ct−(ｘ＋１)／２                        （２）
【００５５】
ステップＳ１７３において、情報管理部１はブラケティング基準画像カウンタctbが０か否かを判定する。情報管理部１は、ctb＝０の場合にステップＳ１７３を肯定判定してステップＳ１７４へ進み、ctbが０でない場合にはステップＳ１７３を否定判定し、ステップＳ１７６へ進む。
【００５６】
ステップＳ１７４へ進むのは１回目のブラケット撮影の場合である。情報管理部１は、ステップＳ１７４においてブラケティング補正量dEVbktを次式（３）により算出してステップＳ１７５へ進む。
dEVbkt＝dEVstep1×ｍ                        （３）
ブラケティング補正ステップdEVstep1はステップＳ１３２で取得した値である。
【００５７】
ステップＳ１７５において、情報管理部１は補正量dEVtotalを次式（４）により算出して図６による処理を終了する。
dEVtotal＝dEVexcom＋dEVbkt                  （４）
露出補正値dEVexcomはステップＳ１３１で取得した値である。
【００５８】
ステップＳ１７６において、情報管理部１はブラケティング基準画像カウンタctbが１か否かを判定する。情報管理部１は、ctb＝１の場合にステップＳ１７６を肯定判定してステップＳ１７７へ進み、ctbが１でない場合にはステップＳ１７６を否定判定し、ステップＳ１７９へ進む。
【００５９】
ステップＳ１７７へ進むのは、２回目のブラケット撮影で基準画像が１枚選択されている場合である。情報管理部１は、ステップＳ１７７において基準画像の露出補正量dEVref1をそのままブラケティング補正基準値dEVbktbaseにセットしてステップＳ１７８へ進む。ステップＳ１７８において、情報管理部１は、ブラケティング補正量dEVbktを次式（５）により算出してステップＳ１７５へ進む。
dEVbkt＝dEVstep2×ｍ＋dEVbktbase            （５）
ブラケティング補正ステップdEVstep2はステップＳ１３２で取得した値である。
【００６０】
ステップＳ１７９へ進むのは、２回目のブラケット撮影で基準画像が２枚選択されている場合である。情報管理部１は、ステップＳ１７９において基準画像のそれぞれの露出補正量dEVref1およびdEVref2を用いてブラケティング補正基準値dEVbktbaseを次式（６）により算出し、ステップＳ１７８へ進む。
dEVbktbase＝（dEVref1＋dEVref2)／２         （６）
【００６１】
ステップＳ１７１を否定判定して進むステップＳ１８０において、情報管理部１はブラケティング補正量dEVbktを０にしてステップＳ１７５へ進む。
【００６２】
＜基準画像選択処理＞
基準画像選択処理の詳細について、図７のフローチャートを参照して説明する。図７のステップＳ２１１において、情報管理部１は、ブラケティング基準画像カウンタctbを０に初期化してステップＳ２１３へ進む。ステップＳ２１３において、情報管理部１は基準画像１を選択する操作信号を受け付けてステップＳ２１４へ進む。
【００６３】
ステップＳ２１４において、情報管理部１は、基準画像１を取得した際の露出補正量１を取得してdEVref1とし、ステップＳ２１５へ進む。露出補正量は、電子カメラが決定した露出に対する補正量である。ステップＳ２１５において、情報管理部１は、ブラケティング基準画像カウンタctbを１にセットしてステップＳ２１６へ進む。
【００６４】
ステップＳ２１６において、情報管理部１は、ブラケティング開始フラグをセットしてステップＳ２１７へ進む。ステップＳ２１７において、情報管理部１は基準画像２を選択する操作信号が入力されるか否かを判定する。情報管理部１は、操作信号が入力されるとステップＳ２１７を肯定判定してステップＳ２１８へ進み、操作信号が入力されない場合にはステップＳ２１７を否定判定し、図７による処理を終了する。
【００６５】
ステップＳ２１８において、情報管理部１は基準画像２を選択する操作信号を受け付けてステップＳ２１９へ進む。ステップＳ２１９において、情報管理部１は、基準画像２を取得した際の露出補正量２を取得してdEVref2とし、ステップＳ２２０へ進む。ステップＳ２２０において、情報管理部１は、ブラケティング基準画像カウンタctbを２にセットして図７による処理を終了する。
【００６６】
以上説明した実施形態によれば、次の作用効果が得られる。
（１）電子カメラは、カメラ自身が決定した条件（たとえば、露出値12.0EV）を処理基準として１回目のブラケット処理を行う。ブラケット処理内容を例示する図８によれば、12.0EVを基準にオーバー方向とアンダー方向とにブラケティング補正ステップdEVstep1（ずらし量）＝1.0EV間隔でそれぞれ２枚ずつ、合計ｘ＝５枚のブラケット撮影を行う（符号１〜５）。１回目のブラケット処理により、10.0EVから14.0EVまでの５画像が撮影画像としてバッファメモリ１２に格納されるとともに、画像表示モニタ１４に一覧表示される。処理基準をカメラが決定し、初期値の1.0EVをブラケティング補正ステップdEVstep1として用いたので、使用者は、電子カメラをブラケット撮影モードに設定した上でレリーズ操作を行うだけで、簡単に１回目のブラケット撮影をさせることができる。
【００６７】
（２）電子カメラは、画像表示モニタ１４に一覧表示している画像のうち、使用者による指示で選択された基準画像に対応する条件（たとえば、符号４）を処理基準（露出値13.0EV）として２回目のブラケット処理を行う。図８によれば、13.0EVを基準にオーバー方向とアンダー方向とにブラケティング補正ステップdEVstep2（ずらし量）＝0.3EV間隔でそれぞれ２枚ずつ、合計ｘ＝５枚のブラケット撮影を行う（符号６〜１０）。２回目のブラケット処理により、12.3EVから13.7EVまでの５画像が撮影画像としてバッファメモリ１２に格納されるとともに、画像表示モニタ１４に一覧表示される。処理基準を使用者が表示される画像を確認しながら指示し、初期値の0.3EVをブラケティング補正ステップdEVstep2として用いたので、使用者は、１回目のブラケット撮影で取得される複数の画像から最も好ましい画像を基準画像として選択指示し、レリーズ操作を行うだけで、簡単に２回目のブラケット撮影をさせることができる。
【００６８】
（３）１回目のブラケット処理における条件のずらし量dEVstep1より、２回目のブラケット処理における条件のずらし量dEVstep2を小さくしたので、１回目のブラケット処理によって撮影画像を大きく変化させ、２回目のブラケット処理によって撮影画像を小さく変化させることができる。これにより、小さいずらし量で条件を大きく変化させる場合に比べて、取得する撮影画像の数を抑えることができる。
【００６９】
（４）電子カメラは、画像表示モニタ１４に一覧表示している１回目のブラケット処理で得られた撮影画像のいずれかが選択指示されると、選択画像に対応する条件に基づいて２回目のブラケット処理の条件を決定する。表示されている画像から好ましい画像を選ぶという直感的な操作によって電子カメラに２回目のブラケット処理条件を設定できるので、露出条件を変更するブラケット処理の場合、露出段数を補正する数値を意識しなくても、簡単にブラケット処理条件を設定できる。
【００７０】
（５）記録媒体１６への撮影画像データの記録は、使用者が表示される画像を確認しながら選択指示し、指示された撮影画像についてのみ記録するので、記録媒体１６に不要な画像を記録させないようにすることができる。
【００７１】
（他のブラケット処理例１）
電子カメラが決定した条件（たとえば、露出値12.0EV）に補正を加えた条件を処理基準として、１回目のブラケット処理を行わせてもよい。ブラケット処理内容を例示する図９によれば、露出補正値dEVexcomとして+1.3EVが設定され、露出補正後の露出値(12.0EV+1.3EV=13.3EV)を基準にオーバー方向とアンダー方向とにブラケティング補正ステップdEVstep1＝1.0EV間隔でそれぞれ２枚ずつ、合計ｘ＝５枚のブラケット撮影を行う（符号１〜５）。１回目のブラケット処理により、11.3EVから15.3EVまでの５画像が撮影画像としてバッファメモリ１２に格納されるとともに、画像表示モニタ１４に一覧表示される。このように、カメラが決定した値に補正を加え、１回目のブラケット処理の基準とすることもできる。
【００７２】
この場合の電子カメラは、画像表示モニタ１４に一覧表示している画像のうち、使用者による指示で選択された基準画像に対応する条件（たとえば、符号４）を処理基準（12.0EV+2.3EV(ブラケティング補正基準値dEVbktbase)=14.3EV）として２回目のブラケット処理を行う。図９によれば、14.3EVを基準にオーバー方向とアンダー方向とにブラケティング補正ステップdEVstep2＝0.3EV間隔でそれぞれ２枚ずつ、合計ｘ＝５枚のブラケット撮影を行う（符号６〜１０）。２回目のブラケット処理により、13.7EVから15.0EVまでの５画像が撮影画像としてバッファメモリ１２に格納されるとともに、画像表示モニタ１４に一覧表示される。
【００７３】
（他のブラケット処理例２）
画像表示モニタ１４に一覧表示している１回目のブラケット処理による画像から、基準画像が２つ選択される場合を説明する。ブラケット処理内容を例示する図１０によれば、12.0EVを基準にオーバー方向とアンダー方向とにブラケティング補正ステップdEVstep1＝1.0EV間隔でそれぞれ２枚ずつ、合計ｘ＝５枚のブラケット撮影を行う（符号１〜５）。１回目のブラケット処理により、10.0EVから14.0EVまでの５画像が撮影画像としてバッファメモリ１２に格納されるとともに、画像表示モニタ１４に一覧表示される。
【００７４】
この場合の電子カメラは、画像表示モニタ１４に一覧表示している画像のうち、使用者による指示で選択された２つの基準画像に対応する条件（たとえば、符号３および符号４の中央値）を処理基準（dEVref1=12.0EVおよびdEVref2=13.0EVの中央値12.5EV）として２回目のブラケット処理を行う。図１０によれば、12.5EVを基準にオーバー方向とアンダー方向とにブラケティング補正ステップdEVstep2＝0.3EV間隔でそれぞれ２枚ずつ、合計ｘ＝５枚のブラケット撮影を行う（符号６〜１０）。２回目のブラケット処理により、11.8EVから13.2EVまでの５画像が撮影画像としてバッファメモリ１２に格納されるとともに、画像表示モニタ１４に一覧表示される。なお、１回目のブラケット処理による画像から、基準画像が２つ以上選択される（たとえば、３つもしくはそれ以上）場合にも本発明を適用してよい。
【００７５】
（変形例１）
１回目のブラケット処理と２回目のブラケット処理とで処理内容が重複する場合、重複する処理を省略してもよい。変形例１のブラケット処理内容を例示する図１１によれば、12.0EVを基準にオーバー方向とアンダー方向とにブラケティング補正ステップdEVstep1（ずらし量）＝1.0EV間隔でそれぞれ２枚ずつ、合計ｘ＝５枚のブラケット撮影を行う（符号１〜５）。１回目のブラケット処理により、10.0EVから14.0EVまでの５画像が撮影画像としてバッファメモリ１２に格納されるとともに、画像表示モニタ１４に一覧表示される。
【００７６】
変形例１の電子カメラは、画像表示モニタ１４に一覧表示している画像のうち、使用者による指示で選択された基準画像に対応する条件（たとえば、符号４）を処理基準（露出値13.0EV）として２回目のブラケット処理を行う。図１１によれば、13.0EVを基準にオーバー方向とアンダー方向とにブラケティング補正ステップdEVstep2（ずらし量）＝0.3EV間隔でそれぞれ２枚ずつ、合計ｘ＝５枚のブラケット撮影を行うところ、13.0EV（符号４）は１回目のブラケット処理で行った撮影条件と重複するので、重複条件を除く４枚のブラケット撮影を行う（符号６〜９）。２回目のブラケット処理による４画像がバッファメモリ１２に格納されるとともに、当該４画像と、２回目の処理基準の画像とが撮影画像として画像表示モニタ１４に一覧表示される。
【００７７】
（変形例２）
１回目のブラケット処理における条件のずらし量dEVstep1より、２回目のブラケット処理における条件のずらし量dEVstep2を小さくしたが、ずらし量の大きさを１回目と２回目とで同じ、あるいは２回目のずらし量を大きくしてもよい。たとえば、１回目のブラケット処理による画像を画像表示モニタ１４に一覧表示している状態で、使用者により選択指示された基準画像が１回目のブラケット処理範囲の端に相当する場合（たとえば、図８の符号５）、電子カメラは、14.0EVを基準にオーバー方向にブラケティング補正ステップdEVstep2（ずらし量）＝1.0EV間隔で５枚のブラケット撮影を行う（符号６〜１０）。１回目のブラケット処理による撮影画像の変化が使用者にとって不足する場合、２回目のブラケット処理によって撮影画像を大きく変化させることができる。
【００７８】
（変形例３）
上述したステップＳ１０９Ａでは、２回目のブラケット処理で得られた撮影画像を画像表示モニタ１４に一覧表示し、ステップＳ１１０Ａにおいて選択指示された画像のみを記録媒体１６に記録するようにした。この代わりに、２回目のブラケット処理で得られた撮影画像を全て記録するようにしてもよい。この場合には、ステップＳ１１０Ａを省略できる。
【００７９】
（変形例４）
以上説明した１回目と２回目のブラケット処理を行うブラケット撮影モードと、ブラケット処理を１回のみ行うブラケット撮影モードとを切り替えて行うように構成してもよい。ブラケット処理を１回のみ行う場合、図２のステップＳ１０９の次に図３のステップＳ１１０Ａへ進む。図１２は、ブラケット処理を１回のみ行う場合のブラケット処理内容を例示する図である。図１２によれば、カメラ自身が決定した条件（たとえば、露出値12.0EV）を処理基準にオーバー方向とアンダー方向とにブラケティング補正ステップdEVstep1（ずらし量）＝1.0EV間隔でそれぞれ２枚ずつ、合計ｘ＝５枚のブラケット撮影が行われる（符号１〜５）。ブラケット処理により、10.0EVから14.0EVまでの５画像が撮影画像としてバッファメモリ１２に格納されるとともに、画像表示モニタ１４に一覧表示される。
【００８０】
（変形例５）
ブラケット処理の例として、撮影時の露出条件をずらして複数の電子画像を得る例を説明した。この場合、画像処理部１３による画像処理条件を変えないようにすると、露出条件をずらしたことによる撮影画像の変化が現れやすくなる。露出条件をずらす例として、絞り９の絞り込み量やシャッタ１０のシャッタ速度を異ならせる他、フラッシュなどの照明装置を使用する場合には、照明光量を変化させるようにしてもよい。
【００８１】
（変形例６）
ブラケット処理の他の例として、ピント条件をずらして複数の電子画像を得るようにしてもよい。この場合、画像処理部１３による画像処理条件を変えないようにすると、ピント条件をずらしたことによる撮影画像の変化が現れやすくなる。ピント条件のずらしは、撮影レンズ６を構成するフォーカスレンズが合焦位置に位置する場合を処理基準とし、フォーカスレンズの位置を処理基準に対して前ピン側、後ピン側にそれぞれ移動させることによって行う。
【００８２】
（変形例７）
ブラケット処理の他の例として、画像処理部１３による画像処理条件をずらしてブラケット処理を行う構成にしてもよい。この場合、露出条件やピント条件を変えないようにすると、画像処理条件をずらしたことによる撮影画像の変化が現れやすくなる。したがって、１回の露光処理で得られた画像信号に対し、画像処理部１３が異なる画像処理条件で複数の画像処理を行って複数の電子画像を得るとよい。画像処理条件のずらしは、たとえば、ホワイトバランス処理における処理条件のずらし、エッジ強調処理における処理条件のずらし、ガンマ調整処理における処理条件のずらし、色あい調整における処理条件のずらしなどである。
【００８３】
以上の説明では、図２〜図７に示すプログラムがあらかじめ情報管理部１内のメモリ（不図示）に格納されている電子カメラの場合を例に説明した。一般に、電子カメラのプログラムをバージョンアップする場合などにおいて、インターネット経由や可搬タイプの記録媒体を介して、電子カメラ内のメモリに格納されている情報を書き換えたり、新たな情報を追加したりすることがある。本発明は、このようなバージョンアップ用のソフトウエアに対しても適用できる。
【００８４】
以上の説明はあくまで一例であり、発明を解釈する上で、上記の実施形態の構成要素と本発明の構成要素との対応関係に何ら限定されるものではない。
【図面の簡単な説明】
【００８５】
【図１】本発明の一実施形態による電子カメラの構成を説明するブロック図である。
【図２】情報管理部が行うメイン処理を説明するフローチャートである。
【図３】情報管理部が行うメイン処理を説明するフローチャートである。
【図４】露出制御値算出処理の詳細を説明するフローチャートである。
【図５】撮影制御処理の詳細を説明するフローチャートである。
【図６】補正量算出処理の詳細を説明するフローチャートである。
【図７】基準画像選択処理の詳細を説明するフローチャートである。
【図８】ブラケット処理内容を例示する図である。
【図９】ブラケット処理内容を例示する図である。
【図１０】ブラケット処理内容を例示する図である。
【図１１】ブラケット処理内容を例示する図である。
【図１２】ブラケット処理内容を例示する図である。
【符号の説明】
【００８６】
１…情報処理部
３…レリーズスイッチ
４…操作入力部
６…撮影レンズ
７…撮影制御部
８…ブラケティング補正量記憶部
９…絞り
１０…シャッタ
１１…撮像素子
１２…バッファメモリ
１３…画像処理部
１４…画像表示モニタ
１５…画像記録部
１６…記録媒体
【図１】
2007166155.tif 000003
【図２】
2007166155.tif 000004
【図３】
2007166155.tif 000005
【図４】
2007166155.tif 000006
【図５】
2007166155.tif 000007
【図６】
2007166155.tif 000008
【図７】
2007166155.tif 000009
【図８】
2007166155.tif 000010
【図９】
2007166155.tif 000011
【図１０】
2007166155.tif 000012
【図１１】
2007166155.tif 000013
【図１２】
2007166155.tif 000014